(57)【要約】【課題】架台の構築作業を簡略化すると共に、太陽電池モジュールの装着が容易に行える太陽電池モジュール用架台システムを提供する。【解決手段】太陽電池モジュールＰをスライド支持するスライド杆体１０を設ける。支柱２１及び横材２２が角パイプ材にて構成された支持枠２０を設ける。支柱２１と横材２２とを直交状態で重ねて連結するジョイント金具３０を設ける。スライド杆体１０の支持角度を設定する角度調整板４０を設ける。支持枠２０上に角度調整板４０を介して複数本のスライド杆体１０を設置する。スライド杆体１０の間に複数の太陽電池モジュールＰを連続的にスライド設置する。【選択図】図１
2013133668.tif 000002
【特許請求の範囲】
【請求項１】
複数の太陽電池モジュールを平坦な場所に設置する太陽電池モジュール用架台システムにおいて、隣接する太陽電池モジュール相互の間に介され、各太陽電池モジュールの側縁部を両側で支持すると共に、支持した各太陽電池モジュールを側縁部の長手方向に沿ってスライドするように構成されたスライド杆体と、
支柱及び横材が角パイプ材にて構成された支持枠と、
支柱と横材とを直交状態で重ねるときに各重合部分の側面に連結せしめる連結腕を備え支柱に横材を連結するジョイント金具と、
支持枠とスライド杆体との間に設置してスライド杆体の支持角度を設定する角度調整板とを備え、
ジョイント金具で連結された支持枠上に、角度調整板を介して複数本のスライド杆体を設置し、該スライド杆体の間に複数の太陽電池モジュールを連続的にスライド設置するように構成したことを特徴とする太陽電池モジュール用架台システム。
【請求項２】
前記スライド杆体は、前記太陽電池モジュールが傾斜する方向に沿って配置される帯板状の中央杆材と、該中央杆材の左右側面に沿って設けられ、前記太陽電池モジュールの側縁部の上下面を支持せしめる上下一対の支持片と、該支持片の下方に延長され、前記角度調整板に固定せしめる断面樋状を成した連結底部とで構成された請求項１記載の太陽電池モジュール用架台システム。
【請求項３】
前記ジョイント金具は、前記支柱と前記横材とを直交状態で重ねるときに各重合側面の間に重ねる重合板体と、該重合板体の前記支柱側に突設され、前記支柱の左右側面に嵌合せしめる支柱連結腕と、重合板体の前記横材側に突設され、前記横材の底面を支持せしめる断面コ字形状の横材連結腕とで構成された請求項１記載の太陽電池モジュール用架台システム。
【請求項４】
前記角度調整板は、前記支持枠の前記横材の上面と前記スライド杆体の前記連結底部の下面との間に設置されるブロック形状を成し、上面に前記スライド杆体の傾斜角度を設定する角度設定面が形成された請求項１又は２記載の太陽電池モジュール用架台システム。
【発明の詳細な説明】
【技術分野】
【０００１】
本発明は、太陽電池モジュールを設置するために使用する太陽電池モジュール用架台システムに関するものである。
【背景技術】
【０００２】
太陽電池モジュールをビルの屋上や空き地など平坦な場所に設置する場合、例えば特許文献１や特許文献２に示される如く、鉄骨フレームを組み立てた架台に設置している。特許文献１に記載されている架台では、架台の軽量化や堅牢化を図るために、太陽電池モジュールが固定される主材と、この主材と直交する横材と、主材の一方側に設けられた低脚支柱と、主材の他方側に設けられた高脚支柱と、これらの低脚支柱および高脚支柱が固定される基礎とを備えたものである。
【０００３】
また、特許文献２に記載されている架台は、精密な角度設定等が不要で、簡便に組み立てることができる架台の提供を目的としたものである。この特許文献２の構成は、土台に立設される支柱と、支柱に固定される梁材と、各梁材の上面に取り付けられる角度調整金具と、各角度調整金具に固定されて各太陽電池モジュールを取り付ける架台フレームとを備えたものである。
【先行技術文献】
【特許文献】
【０００４】
【特許文献１】特開２０１１‐２０２４７９号公報
【特許文献２】実用新案登録第３１７１８２４号公報
【発明の概要】
【発明が解決しようとする課題】
【０００５】
従来のこの種の架台によると、いずれも架台を平坦な場所に固定する基礎や土台が必要になり、これら基礎や土台の上に架台を設置するものであった。これら基礎や土台は、架台の安定性を高めるために、コンクリートブロック等の重量物で形成されており、架台を設置する場合に、これらの基礎や土台の運搬に多くの手間が必要になっていた。特に、屋上などに架台を設置する場合には、屋上への基礎や土台の搬入作業が殊更困難な作業になっている。
【０００６】
また、基礎や土台の上に構築される架台は、複数の支柱や横材等を組合せた支持枠上に架台フレームを支持し、この架台フレームに太陽電池モジュールを取り付ける構成になっている。ところが、支柱や横材を組合せた支持枠は、筋交を組んで構造を強化する必要があった。この筋交は、支持枠の支柱にそれぞれ連結することになるので、支持枠の構築作業に多くの手間を要するものであった。
【０００７】
更に、構築された架台の上に太陽電池モジュールを装着する場合は、この太陽電池モジュールの角度を調整する必要もある。そのため、特許文献２の架台では、任意の高さ位置で架台フレームを固定することが可能な角度調整機構Ｘを設けているが、この角度調整機構は、上方に開口するスリットと、架台フレームを角度調整金具に固定するためのボルト及びナットによって構成されているため、このボルトが緩んでしまうと調整した角度に狂いが生じる虞があった。
【０００８】
太陽電池モジュールの需要は年々高まり、一箇所に設置される太陽電池モジュールの数も増加傾向にある。そのため、太陽電池モジュールの設置作業は、架台の構築作業から太陽電池モジュールの設置作業に至るまで、いかに効率良く行えるかが太陽電池モジュール用架台の課題になっている。
【０００９】
そこで、本発明は上述の課題を解消すべく創出されたもので、架台の構築作業を簡略化すると共に、太陽電池モジュールの装着が容易になり、多くの太陽電池モジュールを設置する場合でも極めて効率良く設置することが可能な太陽電池モジュール用架台システムの提供を目的とするものである。
【課題を解決するための手段】
【００１０】
上述の目的を達成すべく本発明の第１の手段は、
複数の太陽電池モジュールＰを平坦な場所に設置する太陽電池モジュール用架台システムにおいて、
隣接する太陽電池モジュールＰ相互の間に介され、各太陽電池モジュールＰの側縁部を両側で支持すると共に、支持した各太陽電池モジュールＰを側縁部の長手方向に沿ってスライドするように構成されたスライド杆体１０と、
支柱２１及び横材２２が角パイプ材にて構成された支持枠２０と、
支柱２１と横材２２とを直交状態で重ねるときに各重合部分の側面に連結せしめる連結腕を備え支柱に横材を連結するジョイント金具３０と、
支持枠２０とスライド杆体１０との間に設置してスライド杆体１０の支持角度を設定する角度調整板４０とを備え、
ジョイント金具３０で連結された支持枠２０上に、角度調整板４０を介して複数本のスライド杆体１０を設置し、該スライド杆体１０の間に複数の太陽電池モジュールＰを連続的にスライド設置するように構成したことにある。
【００１１】
第２の手段において、前記スライド杆体１０は、前記太陽電池モジュールＰが傾斜する方向に沿って配置される帯板状の中央杆材１１と、該中央杆材１１の左右側面に沿って設けられ、前記太陽電池モジュールＰの側縁部の上下面を支持せしめる上下一対の支持片１２と、該支持片１２の下方に延長され、前記角度調整板４０に固定せしめる断面樋状を成した連結底部１３とで構成されたものである。
【００１２】
第３の手段において、前記ジョイント金具３０は、前記支柱２１と前記横材２２とを直交状態で重ねるときに各重合側面の間に重ねる重合板体３１と、該重合板体３１の前記支柱２１側に突設され、前記支柱２１の左右側面に嵌合せしめる支柱連結腕３２と、重合板体３１の前記横材２２側に突設され、前記横材２２の底面を支持せしめる断面コ字形状の横材連結腕３３とで構成されている。
【００１３】
第４の手段において、前記角度調整板４０は、前記支持枠２０の前記横材２２の上面と前記スライド杆体１０の前記連結底部１３の下面との間に設置されるブロック形状を成し、上面に前記スライド杆体１０の傾斜角度を設定する角度設定面４１が形成されたことにある。
【発明の効果】
【００１４】
本発明の請求項１のごとく、支持枠２０は、ジョイント金具３０で連結するだけで構築されるので、多数の筋交い等を用いなくとも支持強度に優れた支持枠２０を設置することができる。したがって、架台の構築作業を極めて簡略化することに成功した。
【００１５】
しかも、この支持枠２０上に、角度調整板４０を介して複数本のスライド杆体１０を設置するので、所定角度に設置する太陽電池モジュールＰを簡単に装着することができる。
【００１６】
更に、スライド杆体１０の間に複数の太陽電池モジュールＰを連続的にスライド設置するように構成しているので、複数の太陽電池モジュールＰを設置する場合でも簡単に装着することができる。
【００１７】
このように、支持枠２０の構築から太陽電池モジュールＰの設置及び角度調整までの作業を簡略化することができるので、多数の太陽電池モジュールを効率良く設置することができるものである。
【００１８】
請求項２のように、太陽電池モジュールＰが傾斜する方向に沿って配置される帯板状の中央杆材１１と、該中央杆材１１の左右側面に沿って設けられ、太陽電池モジュールＰの側縁部の上下面を支持せしめる上下一対の支持片１２と、該支持片１２の下方に延長され、角度調整板４０に固定せしめる断面樋状を成した連結底部１３とで構成されたものであるから、支持片１２の間に太陽電池モジュールＰを順次スライド移動させることができるので、多数の太陽電池モジュールＰを設置する場合でも、極めて合理的に設置することができる。
【００１９】
しかも、連結底部１３によって、スライド杆体１０と横材２２との連結作業が容易に行えると共に、この連結底部１３が断面樋状を成しているので、雨水等の排水効果もあり、太陽電池モジュールＰの支持端部を常に乾燥状態で支持することができる。
【００２０】
請求項３の如く、ジョイント金具３０は、支柱２１と前記横材２２とを直交状態で重ねるときに各重合側面の間に重ねる重合板体３１と、該重合板体３１の前記支柱２１側に突設され、前記支柱２１の左右側面に嵌合せしめる支柱連結腕３２と、重合板体３１の前記横材２２側に突設され、前記横材２２の底面を支持せしめる断面コ字形状の横材連結腕３３とで構成されているので、支柱２１と横材２２とを連結して支持枠２０を構築する作業は、連結部分にジョイント金具３０を固定だけの作業になる。この結果、支持枠２０の構築作業を極めて簡略化することができる。
【００２１】
しかも、ジョイント金具３０は、支柱２１と横材２２とを強固に連結できるので、筋交い等の補強材を多く必要としないので、その分の作業も簡略化することができる。
【００２２】
更に、筋交い等の補強材を使用しない場合は、支柱２１と横材２２とで構成する支持枠２０の内部に大きなスペースが形成されるので、このスペースを多目的に活用できるといった副次的な効果も奏するものである。
【００２３】
請求項４のように、角度調整板４０は、前記横材２２の上面と前記スライド杆体１０の下面との間に介されるブロック形状を成し、上面に前記スライド杆体１０の傾斜角度を設定する角度設定面４１が形成されているので、横材２２の上に角度調整板４０を設置するだけでスライド杆体１０の角度が設定されることになる。したがって、設置後の角度調整や、長期使用後の微調整などは一切必要とせず、常に安定した角度で太陽電池モジュールＰを支持することができるものである。
【図面の簡単な説明】
【００２４】
【図１】本発明の使用状態を示す概略斜視図である。
【図２】本発明の使用状態を示す側面図である。
【図３】図２に示す矢視III‐III線断面図である。
【図４】本発明のジョイント金具の一実施例を示す斜視図である。
【図５】本発明の角度調整板の一実施例を示す斜視図である。
【図６】本発明の使用状態を示す平面図である。
【図７】本発明の使用状態を示す平面図である。
【発明を実施するための形態】
【００２５】
このように本発明によると、架台の構築作業を簡略化すると共に、太陽電池モジュールの装着が容易に行えるなどといった当初の目的を達成した。
【実施例】
【００２６】
以下、本発明架台システムの一実施例を説明する。本発明架台システムは、屋上や空き地等の平坦な設置面に、一定の角度で太陽電池モジュールＰを設置する架台システムである（図２参照）。本発明システムを構成する主な部材は、スライド杆体１０、支持枠２０、ジョイント金具３０、角度調整板４０にて構成される。
【００２７】
スライド杆体１０は、アルミニウム、ステンレス、鉄等の金属材にて形成されるもので、太陽電池モジュールＰの端部をスライド自在に支持するものである（図１参照）。このスライド杆体１０は、隣接する太陽電池モジュールＰ相互の間に介され、各太陽電池モジュールＰの側縁部を両側で支持するように構成している。
【００２８】
図示のスライド杆体１０は、中央杆材１１、支持片１２、連結底部１３にて構成されている（図３参照）。中央杆材１１は、太陽電池モジュールＰの傾斜面に沿って配置される帯板状の部材であり、広い面を左右側面として設置している。また、支持片１２は、この中央杆材１１の左右側面に沿って設けられた部材で、太陽電池モジュールＰの側縁部の上下面を支持するように上下一対の支持片１２が平行に設けられている。図示例では、一方の支持片１２を中央杆材１１の上端から延長し、他方の支持片１２を後述する連結底部１３の上端から延長したものである。
【００２９】
複数の太陽電池モジュールＰをスライド杆体１０に装着するには、この支持片１２の間に太陽電池モジュールＰの端部を挿入して、スライド杆体１０の傾斜上部から下部に向けてスライド移動させるものである（図１参照）。スライド杆体１０の下端部まで移動した太陽電池モジュールＰは、この下端部に装着された係止片１５によって固定される。
【００３０】
さらに、連結底部１３は、支持片１２の下方に延長された断面樋状を成す部位である（図３参照）。スライド杆体１０を角度調整板４０及び支持枠２０に固定するには、この連結底部１３を挿通した固定ネジ１４にて固定するものである。
【００３１】
支持枠２０は、支柱２１及び横材２２が角パイプ材にて構成されたもので、これら支柱２１と横材２２とをジョイント金具３０が連結するように構成している（図１参照）。図示例では、支柱２１に対して２種類の横材２２を組合せた例を示している。
【００３２】
すなわち、支柱２１の上端部に連結する支持用横材２２Ａと、支柱２１の下端部付近に連結する補強用横材２２Ｂである。支持用横材２２Ａは、角度調整板４０を載置して連結ネジ２３で固定すると共に、スライド杆体１０を支持する横材２２である。一方、補強用横材２２Ｂは、各支柱２１を補強するために、筋交５０の代わりに連結する横材２２である。いずれの横材２２も、厚みの寸法は同じであり、後述するジョイント金具３０に連結できるように設けている。また、図示例では、支持用横材２２Ａと補強用横材２２Ｂとの幅を変えているが、これらの幅を同一に形成しても良い。
【００３３】
ジョイント金具３０は、支柱２１と横材２２とを連結する部材で、重合板体３１、支柱連結腕３２、横材連結腕３３にて構成している（図４参照）。
【００３４】
重合板体３１は、支柱２１と横材２２とを直交状態で重ねるときに各重合側面の間に重ねる１枚の板状の部材である。支柱連結腕３２は、重合板体３１の支柱２１側に突設された部材で、２枚の板が平行に対峙した状態を成している。そして、支柱２１の左右側面に支柱連結腕３２を嵌合して連結する。横材連結腕３３は、重合板体３１の横材２２側に突設された断面コ字形状を成した部材である。更に、この横材連結腕３３に横材２２の底面を嵌合状態で固定することで、横材２２を支持するものである。このジョイント金具３０で支柱２１に横材２２を連結すると、筋交５０の代わりに支持枠２０を補強することができる（図７参照）。そのため、多くの筋交５０を必要とせず、せいぜい全体の中心部に位置する支柱２１に筋交５０を連結する程度で足りるものである（図１参照）。
【００３５】
角度調整板４０は、スライド杆体１０の支持角度を設定する部材であり、支持枠２０とスライド杆体１０との間に介在する（図５参照）。図示の角度調整板４０は六面体のブロック形状を成し、支持枠２０の横材２２の上面とスライド杆体１０の連結底部１３の下面との間に設置される。そして、角度調整板４０の上面には、スライド杆体１０の傾斜角度を設定する角度設定面４１が予め形成されている。したがって、太陽電池モジュールＰの設置角度に応じて、角度が異なる角度調整板４０から任意の角度の角度調整板４０を選択使用するものである。
【００３６】
更に、角度調整板４０とスライド杆体１０とを連結する固定ネジ１４を挿通する固定ネジ孔４２が形成されている（図５参照）。また、角度調整板４０と横材２２とを連結する連結ネジ２３を挿通する連結ネジ孔４３も形成されている（図３参照）。この図３に示す如く、角度調整板４０は、横材２２とスライド杆体１０との間に設置するものである。尚、図１では、説明の便宜上、支持用横材２２Ａが見える位置に角度調整板４０を設けたものである。
【００３７】
本発明システムを構築するには、ジョイント金具３０で連結された支持枠２０上に、角度調整板４０を介して複数本のスライド杆体１０を設置するもので、このスライド杆体１０の間に複数の太陽電池モジュールＰを連続的にスライド設置する（図１参照）。この太陽電池モジュールＰは、スライド杆体１０の支持片１２の間に連続的に挿入することができる。したがって、複数の太陽電池モジュールＰを装着する場合、隣接する太陽電池モジュールＰ相互に隙間なく設置することができる（図６参照）。
【００３８】
一方、スライド杆体１０の中央杆材１１を介した両側の太陽電池モジュールＰの設置面積は、中央杆材１１の厚み分のスペースがあれば足りるものである（図３参照）。これらを総合すると、本発明システムの設置面積は、使用する太陽電池モジュールＰの総面積とほぼ同等の設置面積で足りることになる。
【００３９】
尚、本発明の各構成は図示例に限定されるものではなく、本発明の要旨を変更しない範囲において自由に変更できるものである。
【産業上の利用可能性】
【００４０】
本発明は、太陽電池モジュールＰを設置する架台システムとして使用すると共に、支持枠２０の筋交５０が少ないことから、支持枠２０のスペースを多目的に利用することも可能になるものである。
【符号の説明】
【００４１】
Ｐ  太陽電池モジュール
１０  スライド杆体
１１  中央杆材
１２  支持片
１３  連結底部
１４  固定ネジ
１５  係止片
２０  支持枠
２１  支柱
２２  横材
２２Ａ  支持用横材
２２Ｂ  補強用横材
２３  連結ネジ
３０  ジョイント金具
３１  重合板体
３２  支柱連結腕
３３  横材連結腕
４０  角度調整板
４１  角度設定面
４２  固定ネジ孔
４３  連結ネジ孔
５０  筋交
【図１】
2013133668.tif 000003
【図２】
2013133668.tif 000004
【図３】
2013133668.tif 000005
【図４】
2013133668.tif 000006
【図５】
2013133668.tif 000007
【図６】
2013133668.tif 000008
【図７】
2013133668.tif 000009